(57)【要約】      （修正有）【課題】フィルムシールの経済的特徴を利用した、プレートへの容易なアクセスと再封止が可能な、ウェルのプレートや他の剥離シールで密閉された容器を開封する装置および方法を提供する。【解決手段】剥離可能なシールで密封された容器または容器アレイが、コンベア１０により処理経路に沿って剥離ステーションの方へ移動され、ここでシールとほぼ等しいか大きい幅の粘着面が剥離可能なシールの上面に押しつけられる。回収ロッドが粘着面に下向きの圧力を加え、これをシールに押しつけて、プレート１６がシールとともに動くのに対し前記容器または容器アレイをコンベア上の同じ位置に保持する。シールの前縁が回収ロッドを通過すると、粘着面が前記シールの面から離れて上に巻かれ、シールの前縁が引っ張られて容器または容器アレイから分離し、一方で容器または容器アレイはローラにより下に保持される。除去されたシールはその後破棄される。【選択図】図１
2018076124.tif 000002
【特許請求の範囲】
【請求項１】
複数の実験用のサンプルを保持する物品からフィルムを除去する方法であって、前記物品は、上面と、ある幅で隔てられた対向する側面と、当該側面間に延在する前縁とを有し、前記方法が、
処理面に前記物品を配置するステップと、
ソースロールから巻き取りロールへのテープ経路に沿って粘着面を有する粘着テープを前記処理面の上に繰り出すステップであって、これにより前記粘着面が下向きに前記物品上のフィルムに接触し、前記粘着テープは前記物品の幅とほぼ等しい幅を有する、ステップと、
前記処理面の上に回収ロッドを配置するステップであって、前記回収ロッドは前記物品の前縁に対し所定の交差角度で、前記物品の幅で隔てられた前記対向する側面間の前記前縁に交差するように配置される、ステップと、
前記粘着面が前記フィルムに接触するように、圧力面で前記粘着テープに対し下向きの圧力をかけるステップと、
前記物品と前記粘着テープの一方を他方に対して移動させるステップであって、それにより前記粘着テープが前記フィルムの少なくとも角部に接着され、当該フィルムの角部は前記物品の上部の前記前縁と実験用のサンプルの間の前記前縁の近くにある、ステップと、
前記物品から前記フィルムを剥離除去するために前記テープに上向きに引っ張る力をかけるステップであって、前記回収ロッドが前記フィルムを前記交差角度に対応する角度で前記物品から剥離除去する作用をもたらす、ステップと、
前記繰り出すステップと、前記移動させるステップとを、前記フィルムが前記物品から完全に分離され、当該分離されたフィルムが前記粘着テープ上に保持されるまで継続するステップと、を含むことを特徴とする方法。
【請求項２】
請求項１の方法において、さらに、前記上向きの引っ張る力をかける際に前記粘着テープのテンションを維持するための複数のピンチローラを配置するステップと、
使用済みの粘着テープおよび付着している分離されたフィルムを巻き取りリールに巻き取るステップと、を含むことを特徴とする方法。
【請求項３】
請求項２の方法において、さらに、前記粘着テープが前記ピンチローラに入る前に裏紙テープを繰り出すステップを含み、前記裏紙テープは前記粘着テープの粘着面と分離されたフィルムに付着し、前記巻き取るステップは前記粘着テープ、分離されたフィルム、および裏紙テープを巻き取ることを特徴とする方法。
【請求項４】
請求項１の方法において、さらに、前記処理面の上の前記回収ロッドから下流側に、前記物品上の残留フィルムを検出し、残留フィルムの検出に応じて信号を生成するセンサを配置するステップを含むことを特徴とする方法。
【請求項５】
請求項１の方法において、前記物品は、複数の液体サンプルを内包するプレートまたは容器アレイを含むことを特徴とする方法。
【発明の詳細な説明】
【技術分野】
【０００１】
関連出願
本出願は、以下の米国暫定出願２００７年３月９日出願の第６０／８９４，１８８号、２００７年５月３０日出願の第６０／９１５，８９０号、２００７年６月２８日出願の第６０／９４６，７９９号の優先権を主張するものであり、これらは参照により本書に組み込まれる。
【背景技術】
【０００２】
化学的、生物学サンプルの実験分析は、通常のテストで数百、数千ものサンプルを伴う時間がかかるプロセスである。薬品開発、診断、分析、その他のアプリケーション用のこのようなテストの要求は、特定の試験的な、また多数のサンプルへの処理プロトコルにより、多数の他の処理間での吸引、混合、調剤、同一性の読み取りおよび追跡、低温貯蔵ユニットへの出し入れする実験室の自動システムの開発につながった。現在のスタンダードは、処置中に液体サンプルを保持しロボットのプラットフォーム間で移動するウェルのアレイ（８×１２アレイでは９６、１６×２４アレイでは３８４）を有するプレートを含む。溶液をウェル内に保持するために、プレートは往々にしてシートで熱密閉され、これは通常樹脂か、樹脂コーティングされたアルミホイルでなり、それが最も費用対効果が高く適用が容易な方法である。このようなシールを生成する典型的な商業的に入手可能なシステムに、Ｖｅｌｏｃｉｔｙ１１（Agilent Technologies, Menlo Park, CA）によるＰＬＡＴＥＬＯＣ（登録商標）の熱プレートシーラがある。単に後ろに粘着剤を設けたシーリングシートもまた入手可能である。他の密封方法を用いてもよいが、往々にして高価で、時間がかかり、僅かに効率がよいだけであり、カバーロック、隔壁、その他の機構を用いた複数のピースからなる。
【０００３】
プレートは移動され、加熱され、遠心分離され、ビーズ打ちされ（bead beaten）、そして特定の実験計画に応じて他の操作がなされる。これらのプロセスが完了したら、サンプルへアクセスしてテストや分析が必要であり、これはサンプルを呼吸させるべく所望のウェルの上のシールを穿ったり、シール全体を剥がしたりしてウェルのすべてを露出させることで一般に達成される。シールの穿刺は自動装置に馴染みやすいが、穿刺したシールとは異なる新たなシールを適用して再封止がなされるため、所定のプレート上のウェルにアクセスできる回数には限界がある。複数回の穿刺と再封止の処置後には、シールは穿刺するには厚くなりすぎてしまう。
【０００４】
プレート全体から手作業でシールを剥がすのは、引っ張る力が非常に均一でないとシールシートが往々にして破れてしまう。また、これによりウェルを横切る、あるいは開いたウェルに近接する粘着剤の筋が形成され、これらは相互汚染の可能性を増大させる。
【０００５】
フィルムシールの経済的特徴を利用した、プレートへの容易なアクセスと再封止が可能な、ウェルのプレートや他の剥離シールで密閉された容器を開封する装置および方法が求められていた。
【発明の概要】
【０００６】
本発明によると、剥離可能なシールで密閉されたウェルを具えるプレートまたはトレイが、シールの幅と実質的に等しいか大きい幅の粘着面が前記剥離可能なシールの上面に押しつけられる剥離ステーションに向かう処理経路に沿ったコンベアベルトまたはプラットフォームで搬送される。ロッドまたはローラの加圧面が、前記粘着面の上に下向きの圧力をかけ、これをシールに押しつけてプレートがコンベアとともに移動する際に当該プレートをコンベア上の定位置に保持する。シールの前縁がローラを通過したら、粘着面がシールの面から離れる上側に巻き上げられ、シールの前縁を引き上げてプレートから分離し、一方でプレートはローラにより下に保持される。シールを破いたりプレートを押し合うことなく優しくシールを除去する均一の引っ張り動作を与えることにより、プレートが継続的にステーションを通過するよう移動するに伴い、このシールは徐々にプレートから引き離される。除去されたシールは、粘着面に付いたままとなり、巻き上げられ最終的に破棄される。
【０００７】
本発明の一態様では、対象からフィルムを除去する装置が、処理面と、当該処理面の上に配置され前記対象の幅と実質的に等しいか大きい長さを有する回収ロッドと、前記回収ロッドの長さに沿って下側に延在する粘着面と、前記処理面の上に配置され前記回収ロッドと前記粘着面に対して前記対象の前縁を整列させる整列手段と、前記対象と前記粘着面の一方を他方に対して前記処理面の平面に平行な方向に移動させる並進手段と、前記回収ロッドの下流側にて接線方向上側の力を生成する機構とを具え、これにより前記物品と前記回収ロッドの一方が前記フィルムの前縁から前記フィルムの後縁に動かされるに伴って前記粘着面が前記前縁を引っ張り上げ前記フィルムを前記物品から上に剥離除去する。例示的な一実施例では、この粘着剤は熱活性化型の接着片の形態であり、装置はさらに当該接着片を活性化するための熱源を具える。別の実施例では、前記接着面は粘着テープであり、前記装置は未使用テープのソースロールと、押圧面と、使用済みテープおよび剥離フィルムを回収する巻き上げリールとを具え、テープの経路が前記ソースロールから前記押圧面の下と前記回収ロッドの下に延在して前記巻き上げリールで終端し、前記巻き上げリールを回転させて前記テープを前記ソースロールから前記テープの経路へと引っ張る駆動モータを具える。
【０００８】
本発明の別の実施例は、１またはそれ以上の密封容器からフィルムシールを除去する装置であって、前記容器または容器アレイの幅と実質的に等しいか大きい長さの巻き取りロッドまたはローラと、本体の長さに沿って下側に延在する接着面と、前記アレイをコンベアの経路に沿って移動させて前記巻き取りロッドを前記フィルムシールの前縁に整列させるためのコンベアと、前記ローラを回転させる機構とを具え、これにより前記アレイが前記ロッドを越えて移動した場合に前記巻き取りロッドと粘着剤が前記フィルムを前記アレイから離れるように上側に剥がす。
【０００９】
第１の例示的な実施例では、前記接着面は、ソースロールから繰り出され巻き取りロールに回収されるテープロールを具える。この粘着テープのソースロールは、スピンドルまたはバーに支承されている。このテープは、前記プレートと実質的に等しいか大きい幅を有し、前記プレートが押圧ローラ、または前記シールの上面への接着を促進する下向きの力を与えうる他の面または手段（例えば気圧）の下に進むにつれ前記シールに接着する。いくつかの実施例では、コンベアは粘着剤の接触が良好となるよう小休止してもよい。プレートが第２のロッドまたはローラ、例えば回収または巻き取りロッドの下に進むと、テープが上側に引っ張られロッドの下流側にて前記シールの面に実質的に直交する接線の力が生じる。このテープは、駆動モータにより回転される巻き上げリールに引っ張られる。シールはテープとともに持ち上げられ、プレートを離れて引っ張られる。剥がされたシールはテープとともに巻き上げリール上に巻き取られ、これにより除去されるか部分的に剥がされたシールに不用意に接触することによるウェル内容物の相互汚染のリスクが低減する。ソースロールが使い尽くされ交換されるときに、巻き上げリールは使用済みテープとともに、通常はシールと一緒に破棄される。回収ロッドの直径の小さな下流側を用いると、テープの引っ張り角度を増大させてシールの除去を促進することができる。押圧ローラ（または他の押圧面）を僅かに下流側にシフトさせて、回収ロッドからの張力をさらに高めるようにしてもよい。一実施例では、回収ロッドはプレートの前縁に対し例えば約４５°に角度づけられ、シールの角での剥離プロセスの開始によりシールがプレートから分離する機能をさらに増進してもよい。好適な実施例では、回収ロッドは、下流のテープ経路をコンベアの経路に対して直角から例えば１°−１０°、好適には直角から約２°−３°のオーダーの範囲で僅かに外れるように変化させる。
【００１０】
シールの除去速度は、ローラおよびもしあればテープガイドの周りで、テープの経路に沿ってテープを引っ張る巻き上げリールの回転速度により決定される。コンベアが移動する速度は、巻き上げリールの速度と調整される。両モータの動作はシステムコントローラにより制御され、これにより除去速度の設定が可能となる。適切な開封速度の選択の考慮は、プレートの直近の処理および扱いを含む。例えば、シールまたはプレートが濡れている場合、開封動作は開いたプレート全体に液体飛沫の霧散を避けるために遅い速度で行われる。多数のプレートでの開封動作において一貫した処理速度を維持するには、巻き上げリールに使用済みテープとシールが蓄積され直径が増大するのを補償すべく巻き上げリールを調整する。巻き上げリールおよび／またはソースリールの回転速度はまた、ソースリールに残っているシールの数を計算してロールの替え時を決定するために、システムコントローラに用いられる。
【００１１】
代替実施例では、本発明はイワシ缶の原理を利用して、粘着面を有するキーをプラスチックシールの一端部に取り付け、回転させてシールを巻き込み除去する。本実施例ではいくつかの異なる接着剤を用いることができるが、溶液、霜、または水の存在下での粘着特性によりホットメルト接着剤が好ましい。例示的な実施例では、使い捨て可能な「キー」のマガジン、ロッドを回転させるヘッド付の筒状ロッドのキーが、装置に設けられる。１のキーが、ＰＥＺ（登録商標）キャンディー繰り出し器と同様の方法（米国特許２，６２０，０６１参照）でマガジンの底から押し出される。このキーは、当該キーのヘッドを回転できるスロット内に押し入れられる。ホットメルト接着剤を用いる場合、接着剤を融点に到達すべくキーは熱源に面するように回転される。その後、定位置にあるシール付のプレートの端部に面するように、キーは下に回転される。このプレートは正しく位置決めされ、その後持ち上げられて接着剤がシールに接触し、あるいはキーが下に移動されてシールに接触する。少し待って接着剤が冷えた後に、プレートがコンベアに沿って前進するのに伴いキーは回転され、キーの接線に沿ってシールを上側に持ち上げて筒状ロッドの周りにシールを巻き付けることにより徐々に剥がし、その後キーをプレートから離れるように引っ張る。開いたプレートはコンベアの経路を進み、開封ステーションを通過する。キーと除去したシールは廃物容器へと廃棄され、次のプレートの準備のために新たなキーがマガジンからロードされる。
【００１２】
一実施例では、相対高さ調整手段を具え、キー機構とコンベア機構の間隔を変化させて異なる厚さのプレートにシステムを利用できるようにする。
【００１３】
本発明は、均一な圧でフィルムシートを引っ張る手段を提供し、手作業でシートを除去する場合に生じる問題を回避する。本発明の装置と方法を用いるとシールをより簡単に除去できるため、より堅実にウェルプレートに適用して汚染やサンプル損失からの保護を実現することができる。
【図面の簡単な説明】
【００１４】
【図１】図１は  本発明により構成されたシステムの斜視図である。
【図２】図２は  図１のシステムの平面図である。
【図３ａ】図３ａ−３ｃは、除去プロセスの３つの異なるステージの剥離器の第１実施例の概略側面図であり、図３ａはテープとシール面の最初の接触を示す。
【図３ｂ】図３ａ−３ｃは、除去プロセスの３つの異なるステージの剥離器の第１実施例の概略側面図であり、図３ｂはプレートから剥がれ始めるシールを示す。
【図３ｃ】図３ａ−３ｃは、除去プロセスの３つの異なるステージの剥離器の第１実施例の概略側面図であり、図３ｃはリフトローラに向かって動く押圧ロッドを示す。
【図４】図４は、本発明の一実施例の概略平面図である。
【図５】図５は、角度のついたテープフィードを有する剥離器の代替実施例の概略平面図である。
【図６】図６は、図５の実施例の概略側面図である。
【図７】図７は、ピンチローラを有する剥離器の代替実施例の概略側面図である。
【図８】図８は、図７の実施例の概略斜視図である。
【図９】図９ａは、ウェルプレート上部のプラスチックシールシートに取り付けられる位置のキーの概略図である。図９ｂ、９ｃは、キーの代替実施例の斜視図である。
【図１０】図１０ａ−１０ｃは、キーを繰り出すステップと、キー粘着剤を活性化させるステップと、キーをそれぞれプレートシールシートに適用するステップとを示す概略図である。
【図１１】図１１は、本発明の一実施例にかかる、プレートシール自動除去システムの概略側面図である。
【図１２】キー排出機構の概略側面図である。
【図１３】図１３ａ、１３ｂはそれぞれ、プレート移動コンベアと、プレートを横切ってキーを移動させる押出機構の概略側面図と平面図である。
【図１４】図１４は、プレートシール除去システムの平面図である。
【図１５ａ】図１５ａは、コンベアを動かしてプレートの挿入を可能にする機構の動作ステップ例を示す概略図である。
【図１５ｂ】図１５ｂは、コンベアを動かしてプレートの挿入を可能にする機構の動作ステップ例を示す概略図である。
【図１５ｃ】図１５ｃは、コンベアを動かしてプレートの挿入を可能にする機構の動作ステップ例を示す概略図である。
【図１５ｄ】図１５ｄは、コンベアを動かしてプレートの挿入を可能にする機構の動作ステップ例を示す概略図である。
【図１５ｅ】図１５ｅは、コンベアを動かしてプレートの挿入を可能にする機構の動作ステップ例を示す概略図である。
【図１５ｆ】図１５ｆは、コンベアを動かしてプレートの挿入を可能にする機構の動作ステップ例を示す概略図である。
【発明を実施するための形態】
【００１５】
本発明の目的において、テープまたはプレート（または他の密閉容器）の移動方向または相対位置は、テープやプレートの移動が開始する方向である「上流」、テープやプレートの移動の終端の方向である「下流」の語で説明される。「アレイ」または「プレート」は、以下の説明において説明目的でのみ参照される。本発明はマルチウェルプレートまたは同様のアレイの処理に限定されるものではなく、実質的に剥離フィルムが除去される様々な種類の容器または物品に用いることができる。
【００１６】
図１−５に示す本発明の第１実施例では、シールの除去に粘着テープが用いられる。粘着テープのソースロール２０が、処理面４と、図３ａ−３ｃに示すように処理面４に沿って右から左へプレート１６（または他の密閉容器）を移動させるプレートコンベア１０との上のスピンドルまたは軸１８に支持されている。例示的な実施例では、コンベア１０は、コンベアモータが動作するとプレートまたは他の物品を保持し処理面４を横切ってスライドするコンベアカー１１（図５に示す）にリンクされたモータ駆動ベルトを具える。シール４０と実質的に等しいか大きい幅のテープ２２は、プレートが押圧ロッド２４の下を図示するように右（上流側）に通過する際にシールにくっつく。押圧ロッドまたはローラ２４は、図３ａに示すように、テープ２２の粘着側をシール４０の上面に押圧する。留意すべきは、ローラが好ましいが、押圧ローラの機能は所望の圧力をかけて粘着剤の効力を増強しうる様々な面で実行されてもよいことである。例えば、ロッド、バー、または平坦面を用いることができる。一実施例では、この面はシールの面に順応して圧力を分散させるフォーム接触領域を有してもよい。
【００１７】
テープ２２は、第２のロッドまたはここでは回収ロッド２８とも称されるローラの下および周囲の経路を通り、巻き取りリール３０へと上昇する。回収ロッド２８は、平滑な面とその下流側の丸くなったエッジを有し、これ全体をテープが均一に引っ張る。この回収ロッド２８は、細長い筒状である必要はないが、テープ２２がエッジを引っ張る地点が滑らかで丸い面であるフラットなバーかプレートの形であってもよい。プレート１６が前に進みシールの前縁が回収ロッド２８の下を通過したら、シール４０は回収ロッド２８の下流側または後側の接線方向の力により上に引っ張られ、これが図３ａではＴ１、Ｔ２、Ｔ３で示され、図３ｂに示すようにプレートが回収ロッド２８を越えて進むにつれ、シールの前縁が持ち上がり徐々にシールが剥離される。除去されたシール４０はテープにくっついたまま、テープ３２とともに巻き取りリール３０に巻き取られる。ソースロールがなくなったか、適切な場合にソースロールが使い尽くされる前に、巻き取りリール３０は使用済みテープ３２とともに巻き取りスピンドルから取り外され、使用済みシールとともに破棄される。回収ロッド２８において比較的直径が小さい区画が、テープの引っ張り角度を増大させることによりシール４０の除去を促進する。回収ロッド２８は、好適には回転してテープの均一な引っ張りを確保するよう構成されており、典型的には直径２−３ｍｍである。回収ローラを用いる代わりに、比較的摩擦の低い、例えば丸く平滑な面を有する限りにおいて回転しない回収ロッドを用いて、テープ幅全域で力が不均一となるのを回避してもよい。したがって、本発明の目的において、「回収ロッド」の語は、ロッド、ローラ、丸い縁を有する平坦面、およびテープがスムースに均一の力で引っ張られテープにダメージを与えない必要な特性を有する同等の構成を含むものとする。
【００１８】
押圧ロッド２４は、剥離の開始後に回収ロッド２８からかかる張力をさらに増大させるべく、プレートの移動方向である左すなわち下流側にシフト可能に搭載されている。一実施例では、プレート経路の上に吊された固定サポートから下に延在するフォーム片を、押圧ロッド２４の替わりあるいは追加で用いて、最初にテープ２２をプレート１６の前縁の上に押し下げてもよい。このフォームは、圧力をかけるのに十分に硬いが、またテープ２２が確実にシール４０と良好に接触するのに十分に柔軟である。プレート１６の前進動作を一時停止し、動作続行前にシールの前縁の最初の接触位置に数秒間保持して、確実にテープがシール上でしっかりしたグリップを得るようにすることが望ましい。
【００１９】
好適な実施例では、回収ロッド２８は、図４、５に示すように、プレート１６の前縁に対して例えば４５°の角度で位置決めされ、角部４２で剥離プロセスを開始することにより、シール４０のプレート１６からの分離と、シールを約４５°の角度で剥離することを促進する。このアプローチにより、シール４０の前縁３８の幅全体に沿って粘着剤の力を一度に打ち負かす必要がなくなり、手作業でのシール除去の具現化に近くなる。角度がついた回収ロッド２８により、テープ経路が、プレートの移動方向と同じ元のテープ経路とほぼ直角な方向に変わる。テープ経路の方向を変えることの他の利点は、巻き取りリール３０における破棄されたシールの蓄積がプレート１６やコンベア１０の上ではなく側部に位置するため、シールの底に残っている汚染駅が次のプレートに落ちる可能性が低減されることである。図示するように、テープ経路が方向変換される角度は通常は９０°±約１０°のオーダーである。より好適には、この角度は９０°±２−３°である。好適な実施例では、スポンジまたは吸収剤を回収ロッド２８または巻き取りリール３０の近くに組み込んで、さらに相互汚染を回避するようにしてもよい。代替的に、テープまたは除去したシールの上に有意な量の液体が残る場合には、ロッド２８またはその下流のテープの両側に吸引チューブまたはチャネルを設けるようにしてもよい。
【００２０】
図４、５に示すような駆動モータ５０は、巻き取りスピンドル５２を回転させて、ソースロール２０およびテープ経路に沿ってテープを引っ張って剥離動作を駆動する。スリップが生じないように、また均一な力がかかるようにすべく、スピンドル５２は、巻き取りリール３０の内面にある対応する切り欠きに合致する１またはそれ以上の放射状に伸びるタブ、リッジ、またはスプリングを有する。
【００２１】
プレートからシールが除去される速度は、テープ経路、ローラ２４、２８周り、およびもしあればテープガイドに沿ってテープを引っ張る巻き取りリール３０の回転スピードにより決定される。コンベア１０がプレート１６を移動させる速度は、巻き取りリール３０の回転速度とともに調整される。コンベアと駆動モータ５０の動作はシステムコントローラ（図示せず）により制御され、これにより除去速度が設定可能である。典型的な動作速度は、約３０ｃｍ／秒（１フィート／秒）である。適切な剥離速度の選択の考慮には、プレートの最近の処理または扱いが含まれる。例えば、シールまたはプレートが濡れている場合、剥離動作は遅い速度で行って開いたプレート全体に液体の滴が飛び散らないようにすることが望ましい。多数のプレートへの剥離工程で矛盾のない処理速度を維持するために、巻き取りリール３０の回転速度は、使用済みテープやシールを蓄積するのに伴う直径の増加を補償するよう調整することができる。巻き取りリール３０の回転速度はまた、いつロールを交換するかを決定するために、ソースロール２０に残っているシールの数を計算するのにシステムコントローラに用いられてもよい。
【００２２】
本発明で用いられるテープは、典型的には従来のプラスチックの裏打ちのある感圧接着剤であり、粘着力が最大で自己接着傾向が最小となるよう選択される。テープの幅は、ほぼシールの幅と同じであるが、シール全体を効率的に持ち上げるのに十分な幅である限りにおいて、僅かに変化があってもよい。このテープは十分に強くあるべきであり、破断リスクを最小化すべく強化されていてもよい。
【００２３】
代替実施例では、テープの粘着剤は、熱活性化されるか、圧力感応と熱の増加の組み合わせであってもよい。熱を用いると、表面に水分やＤＭＳＯなどの化学残留物を有するシールにテープが接着されるという利点がある。加熱は、押圧ロッド２４のすぐ下流側に熱源を配置して実現するか、ローラ自体を加熱してもよい。巻き取りリールの回転とコンベアの前進移動を一次的に止めて、テープを持ち上げる力をかける前にテープと粘着剤が冷却されるようにしてもよい。
【００２４】
一実施例では、ソースロールと巻き上げリールは、例えばＶＨＳビデオテープのように使い捨てカートリッジに統合されて、ユーザが交換可能となっていてもよい。巻き上げリールがプレートの移動方向に関し所定角度（９０°±ｘ°）をなす場合、このカートリッジは、リールを所望位置に保持すべく適切に、例えばＬ字形に形成される。このカートリッジは、コストを適切に最小化すべく、廉価に鋳造されたプラスチック部品とボール紙と金属部品で製造することができる。
【００２５】
選択的なウィンドウと測定手段を設けて、残りのテープが除去できるシールの数をユーザが判定できるようようにしてもよい。あるいは、この設備は除去したシールの数を記録してカートリッジに残っている数を予測してもよい。これはまた、ソースロールと巻き上げリールが分離している構成にも有用である。新しいソースロールまたはカートリッジを例えば夕方に装着し、システムが停止せず夜中動作するようにしてもよい。次の日、部分的に一杯のカートリッジまたはロールを再装填して残りの容量に用いてもよい。
【００２６】
図１、２は、本発明の原理を用いた例示的な設備１を示す。ソースロール２０は、ソースフランジ３６から伸びるソーススピンドル１４に適合するソースコア１８を具える。ソースコア１８はスピンドル１８の上にスライドして締まり嵌めを形成し、ロール２０からテープ２２が引っ張られるよう十分な抵抗を提供しつつ、シール４０に均一にかかるようテープとぴんと引っ張っている。代替的に、ソースコア１８内のノッチがスピンドル１８内のタブまたはスプリングと合致して、ソースロールのスリップを不正でテープの均一な繰り出しが確保されるようにする。任意の検出器を設けて、ソースロール２０に残っているテープの量を監視し、システムコントローラに信号を送ってこのロールを用いてあといくつのシールを除去できるかを判断できるようにする。巻き取りリール３０は、元のテープ経路の方向とプレート１６の移動方向から約８７°−８８°に位置決めされており、スライドフランジを有して使用済みテープ３２の位置調節（centering）を実現するとともに、除去されたシールと使用済みテープに残った残留物の封じ込めを補助している。シールが引き戻される地点に任意でシールド７を設け、新しく開いたウェルを相互汚染から保護するとともに、除去されたシールの底面に残る材料との不用意な接触を回避するようにしてもよい。
【００２７】
コンベア１０は、ソースロール２０の下の位置からコンベア面４に沿ってプレート１６を前進させる（図面で左から右）。上述したように、装置の動作速度は巻き取りリール３０の回転速度により決定される。コンベア１０は、単にプレート１６をテープと同じ速度での移動を維持するよう制御される。光学検出器５がコンベア面４の上に部分的に伸びており、シールが除去されたかが確認される。典型的には、この光学検出器は下の領域の比較的大きな部分を見ることによりテープの反射を探す。プレート上で強い反射があると、シールの一部や全部が除去されていないことを示す。コントローラは、シールの一部が残っている状況を含めて許容しうる反射レベルを特定する閾値でプログラムされている。許容しがたいシールの残りが検出されたら、システムコントローラ（図示せず）は、シールの除去が不完全であることを示す信号（可聴または可視の）を生成する。このコントローラは付加的あるいは代替的に、プレートを取り出して剥離プロセスを繰り返すかプレートをさらに処理して取り扱うステーションに配置する付加的ロボットを動作させる電子信号を生成してもよい。
【００２８】
テープリール、モータ、およびコンベアはすべてハウジング２内に保持されており、これは汚染や装置の可動部品との不用意な接触を最小限とすべく開平可能な保護カバー３を具える。このカバー３はコンベア経路に対応する切り欠きを具えて形成され、カバーを開けなくてもプレートが装置から出られるようになっている。
さらにロボットフレンドリーとすべく、図１、図２に示すようにその軌跡内にユーザ選択スイッチ８により任意でコンベアカー１１（図８にのみ示すが、他の実施例ではプレート１６の直下にある）をその移動の終端の縦長または横長位置に設けてもよい。この特徴により、ロボットが、当該ロボットのグリップ配向に応じてプレート１６をその長辺または短辺でグリップすることが可能となる。
【００２９】
制御パネル６は、ＳＴＡＲＴ／ＳＴＯＰボタンと、シール除去の完了／有効性、テープ残量、または残テープで除去できるシール数などの種々のメッセージを表示するディスプ絵里を具え、またシールやプレートのサイズ、シール除去速度、粘着剤の設定の遅れその他の入力が可能である。一実施例では、ソースロールに残るテープ量を実際に検出するのではなく、コントローラは除去シール数をカウントし、テープの繰り出し速度を追跡し、シール面積を用いて、残りのテープを算出するようにしてもよい。
【００３０】
新しいテープが常にプレートの前縁に適用されるように、装置は経過時間（あるいは、新たなカートリッジまたはロールが装填された事実）をモニタしていてもよい。最適な粘着のために、次のプレートがシール除去に供される前に十分な経過時間を得てから、駆動モータが自動的にテープを新たな位置へ進めるようトリガされる。この「フレッシュニング」動作を実現する遅延の例は、８時間またはそれ以上のオーダーである。
【００３１】
図６に示すように、カートリッジとモータは共通のフレーム５８に搭載され、これは異なる高さのプレートを処理できるようコンベア１０に対してモータ６０により上下させることができる。コンベア１０は、プレートの前縁がカートリッジの一部である押圧ロッド２４の直ぐ下にくるようプレート１６を前進させる。種々の圧力設定によりテープのシールへの接着を改善しうる。数秒の遅延により、テープの粘着剤の粘着力を向上させることもできる。その後、巻き取りリール（本図には示さず）とコンベア１０が双方ともシール４０を除去するよう駆動され、プレート１６を本例ではコンベア面の左側である出力側に継続して進める。
【００３２】
代替実施例では、コンベア１０をなくして、ユーザが、例えば処理面４上に配置されプレートより僅かに広い間隔に離れたレール対などのガイドで最初にプレートを整列させてから、プレート１６を処理面４の上かつ回収ロッドの下に手でスライドさせる動作を行ってもよい。プレートを手で押すのは、通常均一な動作で、テープ経路に沿ってテープを進める巻き取りリールの回転速度と整合性があるべきである。第２の代替的な「マニュアル」構造では、面上に固定のガイドまたはフレームが設けられ、プレートを開放可能に保持する。ソースロール、回収ロッド、および巻き取りリールは、共通フレーム５８と同様にプレートまたはフレーム上に搭載され、モータか手の力で水平スライドして、回収ロッドがプレートの前縁から後縁まで後ろに移動してシールを剥離可能となる。
【００３３】
剥離動作を絶え間なく夜通し行うことが求められる大きな研究所で用いられる実施例では、１０００またはそれ以上のプレートを剥離可能なようにテープの機能を向上させる必要がある。使用済みシールとテープのロールが大きくなると剥離動作での実行が求められる堅実なトルクで駆動するには柔らかすぎるため、単に巻き取りリールを大きくしたのではこれは適わない。
【００３４】
この問題に対処するには、図７、図８に示す実施例のように、ピンチローラのシステムを設けてテープを引っ張るとともに、巻き取りリールは単にスラックを巻き取るようにする。第１実施例と同様に、ソースロール６０はテープを押圧ローラ６２の下にフィードし、コンベア１０で移動するにつれローラがテープの粘着側をプレート１６のシール４０に押しつける。巻き取りロッド６３は、移動方向に対して所定の角度で好適に配置され、これによりシール４０は最初に一の角部で持ち上げられ除去し易くなる。シールが除去されたテープ７０は、ガイドローラ（またはロッド）６５によりガイドされピンチローラ６８、７２、７４に案内される。ローラ６８は駆動ローラであり、駆動モータ（図示せず）に駆動されて剥離動作用の張力を発生する。テープ７０の片側に粘着剤があるため、ローラへの付着を防ぐために、消耗紙ロール（consumable paper roll）６６が提供されてピンチローラに入る前に粘着剤をカバーする裏紙となる。この裏紙は、使用済みシール残る様々な液体を鳩首するという付加的な利点がある。粘着テープ、除去シール、および裏紙からなる層となった破棄テープ７６は、巻き取りリール８０に回収される。図示するように、巻き取りリール８０の相対的なサイズは、紙のリール６６やソースリール６０より大きく、これはどの元のテープより分厚い３折りからなるテープを受けるからである。別個の駆動モータ（図示せず）または駆動ローラ６８を回転させるのと同じ駆動モータで駆動されるリンク機構が、テープ７６の緩みをとるよう用いられる。巻き取りリール８０の回転速度は、リール上の使用済みテープ７６の直径が増えたら調整される。ピンチローラは、第１実施例のような小型の装置に用いてもよく、同様に大きな容量のシステムに用いてもよい。
【００３５】
本発明の代替的な実施例では、粘着剤の連続ロールが個々の使い捨てローラまたは「キー」に置換され、これらはそれぞれ単一のシールの除去に用いられる。図９ａ−９ｃに示すように、各巻き取りキー９０は巻き取りロッド９４とキーヘッド９６とを具える。好適には、ロッド９４は筒状であり、すなわち動作中に均一の圧力となるよう円形断面を有するが、他の形状を用いてもよい。粘着片９２がロッド９４の長さに沿って延在している。いくつかの異なる粘着剤を用いることができるが、溶剤、霜、または水分の存在かでも良好な粘着特性を示すホットメルト接着剤が多くの場合に優秀である。粘着片９２はシール４０に押しつけられ、粘着剤が充分にセットされたら、プレートが進むにつれキー９０がプレート１６の後縁に向けて、すなわち図９ａに示すように時計回りに回転され、イワシの缶詰を開けるのと煮た方法でシールが除去される。キーを回転させるグリップ手段が、タブ９８（図９ｂ）、四角いヘッド９６（図９ｃ）の形態、またはキーの回転を制御可能な他の構成で設けられている。このグリップ手段は、以下に詳述する自動回転機構により駆動される。
【００３６】
図１０ａに示すように、自動ディスペンサ１００が使い捨てキーのマガジン１０２に複数のキー９０を保持している。キー９０はキープッシャ１０６によりキーマガジン１０２の底部開口１０４から押し出され、これによりディスペンサはＰＥＺ（登録商標）キャンディディスペンサのように機能する。キープッシャ１０６は、図１４に示すモータ１３０により駆動される。キー９０のヘッドは、キーローラの対応するスロット１０８に押し込まれる。図示するように、キーヘッドの形状は矩形であり、キーローラ１１０の矩形スロットに合致するが、キーの回転量とその方向を制御する何らかの手段が必要である。キーローラ１１０は、弓形回転チャネル１１２内に支持されており、モータ１２２（図１１、１４に示す）に接続されたベルトで駆動される。この駆動モータ１２２が始動され、キーはストップタブ１１４が回転止め１１６に接触するまで回転し、これが図１０ｂに示す熱源１２０に接着片９２を晒し、接着剤が融点となる。次に接着片９２が正面となるようにキー９０が回転される。プレート１６は接着片９２と整列されて、図１０ｃに示すように接着剤と接触するよう配置される。
【００３７】
図１１に示すように、プレート１６は（モータ１２８に駆動される）コンベア１１８上で搬送され、これは一端にピボット１２４を具え、これがコンベアを上下に傾けてプレート１６とキー９０を接触させたり解除したりする。通常、コンベア１１８はスプリングで上側に付勢されている（図１５ａ−ｆに示す）。プレート上のシールが粘着片と接触し、粘着剤が冷えるよう少し遅らせた後、ベルトまたはモータ１２２との他のリンク機構により駆動されるキーローラ１１０は、プレート１６が進む一方でキー９０を回転させ、これによりシールが徐々に均一にプレート１６から剥がされる。プレートの後縁がキー９０を通過したら、キーは除去されたシールとともに排出されアセンブリの下の廃棄バケット１０９に落とされる。新たなキーがキーマガジン１０２から下降し、キーローラ１１０にロードされて次のサイクルが準備される。
【００３８】
図１２は、使用済みキーの排出機構の一例を示す。シールが使用済みキー９０ｕに巻かれたら、キーローラ１１０は回転されてスロット１０８が下側に向く。キープッシャ１０６が繰り出し位置から引き戻され、これにより排出トリガ１４０がアーム１３４の下側部にカム係合（cam）する。アーム１３４の下側部が押し戻されると、アーム１３４が排出ピボット１３６を回動させ、アーム１３４の上側部が下側に動き、キーエジェクタ１３８を駆動させる。キーエジェクタ１３８の下端部が使用済みキー９０ｕのヘッドをスロット１０８の外に押し、これにより使用済みキーが廃物受け１０９に落下する。スプリングタブ１３２は、使用済みキー９０ｕがマガジン１０２の底部のローディングシュートにスライドして戻らないようにしている。
【００３９】
図１３ａ、１３ｂは、シールが除去された後にコンベア１１８を押し下げてプレート１６を取り外せるようにする機構を示す。このコンベア１１８は通常はスプリングで上に付勢されているため、プレートが剥離されたときにスプリングの付勢が打ち負かされなければならない。キーローラ１１０が逆回転されると、回動トリガ１４４がコンベア回動ピン１４６と接触する位置となりこれに押しつけられる。回動ピン１４６はフレームまたはコンベア１１８側の他の構造物に強固に取り付けられ、したがってピン１４６への下向きの力によりコンベア全体がコンベアピボット１２４で回動する。これにより、不都合な傾斜やプレート上に位置する剥離器の要素と接触することなく、コンベアと剥離部材との間隔が増大する。
【００４０】
図１５ａ−１５ｆは、コンベアと剥離要素間の相対動作を実現する手段の一例を示す。図１５ａは、コンベアピボット１２４の近くの位置でコンベア１１８上にあるプレート１６の開始位置を示す。アーム１２６が、コンベア１１８が水平（回動しない）の位置にスプリング１３２で付勢されている。図１５ｂ−ｅは、プロセスにおいてプレートを剥離準備に位置づける様々なステップでの回動位置を示すコンベア１１８を示す。図１５ｂでは、キーローラ１１０から延在するタブ１４４が、時計回り（逆回り）に回転された場合、バネ付勢されたアーム１２６にカム係合し、これがコンベア機構１１８に下向きの力をかけ、コンベアピボット１２４周りに傾斜させる。アーム１２６の上端部は、ピン１５０を開始ローラガイド１１２にスライド連結される。およそ５時の位置で、タブ１４４はアームの右上角部１２６に接触し、コンベア１１８に下向きの力をかけ、アーム１２６をローラガイド１１２の最下端へとスライドさせる。図１５ｃは、キーローラ１１０、の連続的な時計回りの回転を示し、タブ１４４がおよそ７時に位置決めされ、アーム１２６を左に押し（図示するように）、キーローラ１１０とローラガイドを整列させる。プレート１６が剥離位置に到達したら、キーローラ１１０の回転方向は反時計回りに戻り、ローラガイド１１２内で回転し、これにより図１５ｄに示すようにアーム１２６の前縁をタブ１４４がキャッチする。反時計回りを継続すると、アームがローラガイド内へスライドし、アームが後ろに押され（図面の右）、図１５ｅに示すようにアーム１２６の上端部がローラガイド１１２の最上端の方へ移動する。図１５ｆでは、ピン１５０がローラガイド１１２の最上端の方へ完全にスライドし、スプリング１３２の付勢を上回る圧力を開放して、コンベア１１８が通常の水平に戻るようにする。キーローラ１１０の回転ポイントでは、キー９０の粘着片９２はシールの前縁に接触するよう配向されている。プレート１６はコンベア１１８により左から右へ図示するように移動され、一方で前述したようにキーはプレートからシールを剥離するように回転される。
【００４１】
一実施例では、システムは薄いプレートと厚いプレートに順応するよう適合されており、最も薄くて１０ｍｍから、深いウェルプレートで約４５ｍｍである。この機能を実現するには、相対高さ調整手段を設けてキー機構とコンベア機構の間隔を変化させるようにする。薄いプレートの場合にスペーサブロックを配置して、高いプレートの場合にそれを除去するのが実践的である。全範囲を一のスペーサブロックでカバーできることが望ましい。
【００４２】
動作シーケンスは、簡単なリレー制御シーケンスも適切であるが、ＰＩＣマイクロコントローラで制御してもよい。本システムは、単にプレートをロードして「ｓｔａｒｔ」を押すだけで動作するのが好ましい。ディスプレイは必須ではないが、通常動作を示すのに２−３のインジケータランプが有用である。
【００４３】
上述した説明は、化合物や、化学的および生物学的アプリケーションの貯蔵に用いられる典型的なマルチウェルプレートから剥離シールを除去することを対象としている。これは説明的例示としてのみ提供されるのであって、本発明は、シールの上面に粘着剤を適用し粘着剤を上に引っ張ったときにシールが容器から分離するのに十分な力をかける条件を許容する様々な種類の容器から剥離シールを取り去るのに等しく用いることができる。例えば、本発明は他の容器アレイ、臨床テストキット、またはトレーや支持ラックに保持された個々のバイアルからのシール除去にも用いることができる。本発明は同様に、食料涼気や他のパッケージングの開封に用いることができる。通常、本発明の方法および装置は、剥離動作で除去可能なシールを有するほぼすべてのパッケージまたは容器の開封に用いることができ、考えられる例外は、容器にダメージを与えずに粘着剤を適用するには壊れやすいか柔らかすぎる容器である。
【００４４】
本発明はまた、研磨技術が下の面にダメージを与えてしまう場合の乾燥塗料やフィルムを面から除去するのに有用である。
【００４５】
当業者であれば、本発明の意図や範囲から逸脱することなく本発明のシステムや装置の様々な変形や変更を施すことができる。したがって、このような変形例や変更例は添付のクレームおよびその均等の範囲に入る限りにおいて、本発明に包含されると考えるべきである。
【図１】
2018076124.tif 000003
【図２】
2018076124.tif 000004
【図３ａ】
2018076124.tif 000005
【図３ｂ】
2018076124.tif 000006
【図３ｃ】
2018076124.tif 000007
【図４】
2018076124.tif 000008
【図５】
2018076124.tif 000009
【図６】
2018076124.tif 000010
【図７】
2018076124.tif 000011
【図８】
2018076124.tif 000012
【図９】
2018076124.tif 000013
【図１０】
2018076124.tif 000014
【図１１】
2018076124.tif 000015
【図１２】
2018076124.tif 000016
【図１３】
2018076124.tif 000017
【図１４】
2018076124.tif 000018
【図１５ａ】
2018076124.tif 000019
【図１５ｂ】
2018076124.tif 000020
【図１５ｃ】
2018076124.tif 000021
【図１５ｄ】
2018076124.tif 000022
【図１５ｅ】
2018076124.tif 000023
【図１５ｆ】
2018076124.tif 000024
【手続補正書】
【提出日】平成29年12月27日(2017.12.27)
【手続補正１】
【補正対象書類名】特許請求の範囲
【補正対象項目名】全文
【補正方法】変更
【補正の内容】
【特許請求の範囲】
【請求項１】
複数の実験用のサンプルを保持する物品からフィルムを除去する方法であって、前記物品は、上面と、ある幅で隔てられた対向する側面と、当該側面間に延在する前縁とを有し、前記方法が、
処理面に前記物品を配置するステップと、
ソースロールから巻き取りロールへのテープ経路に沿って粘着面を有する粘着テープを前記処理面の上に繰り出すステップであって、これにより前記粘着面が下向きに前記物品上のフィルムに接触し、前記粘着テープは前記物品の幅とほぼ等しい幅を有する、ステップと、
前記処理面の上に回収ロッドを配置するステップであって、前記回収ロッドは前記物品の前縁に対し所定の交差角度で、前記物品の幅で隔てられた前記対向する側面間の前記前縁に交差するように配置される、ステップと、
前記粘着面が前記フィルムに接触するように、圧力面で前記粘着テープに対し下向きの圧力をかけるステップと、
前記物品と前記粘着テープの一方を他方に対して移動させるステップであって、それにより前記粘着テープが前記フィルムの少なくとも角部に接着され、当該フィルムの角部は前記物品の上部の前記前縁と実験用のサンプルの間の前記前縁の近くにある、ステップと、
前記物品から前記フィルムを剥離除去するために前記テープに上向きに引っ張る力をかけるステップであって、前記回収ロッドが前記フィルムを前記交差角度に対応する角度で前記物品から剥離除去する作用をもたらす、ステップと、
前記繰り出すステップと、前記移動させるステップとを、前記フィルムが前記物品から完全に分離され、当該分離されたフィルムが前記粘着テープ上に保持されるまで継続するステップと、を含むことを特徴とする方法。
【請求項２】
請求項１の方法において、さらに、前記上向きの引っ張る力をかける際に前記粘着テープのテンションを維持するための複数のピンチローラを配置するステップと、
使用済みの粘着テープおよび付着している分離されたフィルムを巻き取りリールに巻き取るステップと、を含むことを特徴とする方法。
【請求項３】
請求項２の方法において、さらに、前記粘着テープが前記ピンチローラに入る前に裏紙テープを繰り出すステップを含み、前記裏紙テープは前記粘着テープの粘着面と分離されたフィルムに付着し、前記巻き取るステップは前記粘着テープ、分離されたフィルム、および裏紙テープを巻き取ることを特徴とする方法。
【請求項４】
請求項１の方法において、さらに、前記処理面の上の前記回収ロッドから下流側に、前記物品上の残留フィルムを検出し、残留フィルムの検出に応じて信号を生成するセンサを配置するステップを含むことを特徴とする方法。
【請求項５】
請求項１の方法において、前記物品は、複数の液体サンプルを内包するプレートまたは容器アレイを含むことを特徴とする方法。
【請求項６】
複数の実験用のサンプルを保持するよう構成された物品からフィルムを除去する装置であって、前記物品は、上面と、ある幅で隔てられた対向する側面と、当該側面間に延在する前縁とを有し、前記装置が、
前記物品を載置するための処理面と、
ソースロールと、
前記ソースロールとともに、前記処理面の上にテープ経路を形成する巻き取りロールとを具え、
前記ソースロールは前記巻き取りロールへのテープ経路に沿って粘着面を有する粘着テープを連続的に繰り出すよう構成されており、これにより前記粘着面が下向きに前記物品上のフィルムに接触し、前記粘着テープは前記物品の幅とほぼ等しい幅を有し、
前記処理面の上に配置された回収ロッドであって、前記物品の前縁に対し所定の交差角度で、前記物品の幅で隔てられた前記対向する側面間の前記前縁に交差するように配置された回収ロッドと、
前記粘着面が前記フィルムに接触するように、前記粘着テープに対し下向きの圧力をかけるように構成された圧力面とを具え、
前記物品と前記粘着テープの一方が他方に対して移動され、それにより前記粘着テープが前記フィルムの少なくとも角部に接着され、当該フィルムの角部は前記物品の上部に接着されているとともに前記前縁と前記複数の実験用のサンプルとの間の前記前縁の近くにあり、前記物品から前記フィルムを剥離除去するために前記テープに上向きの引っ張る力がかけられ、前記回収ロッドが前記交差角度に対応する角度で前記物品から前記フィルムを剥離除去する作用をもたらすことにより、前記フィルムが前記物品から完全に取り去られ、除去されたフィルムは前記粘着テープ上に保持されることを特徴とする装置。
【請求項７】
請求項６の装置において、さらに、前記上向きの引っ張る力をかける際に前記粘着テープのテンションを維持するように構成された複数のピンチローラと、
使用済みの粘着テープおよび付着している分離されたフィルムを巻き取るように構成された巻き取りリールとを具えることを特徴とする装置。
【請求項８】
請求項７の装置において、前記粘着テープが前記ピンチローラに入る前に裏紙テープが前記粘着テープの粘着面と分離されたフィルムに付着され、前記巻き取りリールが前記粘着テープ、分離されたフィルム、および裏紙テープを巻き取ることを特徴とする装置。
【請求項９】
請求項６の装置において、さらに、前記処理面の上の前記回収ロッドから下流側に配置され、前記物品上の残留フィルムを検出し、残留フィルムの検出に応じて信号を生成するセンサを具えることを特徴とする装置。
【請求項１０】
請求項６の装置において、前記物品は、複数の液体サンプルを内包するプレートまたは容器アレイを含むことを特徴とする装置。